(57)【特許請求の範囲】
【請求項１】
建物と隣接して設置され、屋外と区画された空間を有した建物用囲いであって、
前枠と後枠と側枠と垂木で枠部を有した屋根枠と、その枠部に取り付けた屋根板で屋根とし、
前記側枠、垂木は屋根板支持用の凹陥部を有し、この凹陥部の上内面と屋根板の上面との間を側部上シール材で水密すると共に、前記凹陥部の下内面と屋根板の下面との間を側部下シール材で水密し、
前記側部上シール材は側枠、垂木の後端面まで連続し、前記側部下シール材は側枠、垂木の後端面よりも前方寄りまで連続して凹陥部の下内面の後端面寄り部分と屋根板の下面との間に隙間が有り、
前記側枠、垂木の凹陥部の後端面寄り部分に隙間隠し部材を取り付け、この隙間隠し部材で前記隙間を隠すようにしたことを特徴とする建物用囲い。
【請求項２】
前記前枠と屋根板の上面との間を前部上シール材で水密すると共に、前枠と屋根板の下面との間を前部下シール材で水密し、
前記側部下シール材は、前記前部下シール材よりも前方に張り出し、この側部下シール材の側面に前部下シール材の端面が接している請求項１記載の建物用囲い。
【請求項３】
前記前枠は、排水用凹部を有すると共に、その排水用凹部の前部に前部上シール材、後部に前部下シール材を設け、
前記屋根板の前部は排水用凹部まで張り出し、その屋根板に沿って流れた雨水が排水用凹部に流れ込むようにし、
前記排水用凹部の底部長手方向端部を切り欠き、その切欠部から雨水が排水するようにした請求項２記載の建物用囲い。
【請求項４】
前記側枠、垂木の凹陥部の上内面、下内面の開口縁部分と屋根板の上面、下面との間を側部上シール材、側部下シール材でそれぞれ水密し、
前記隙間隠し部材は、前記凹陥部の底面寄り部分を閉塞する本体部と、この本体部の下方に設けられ前記凹陥部の下内面の開口縁部分を覆う覆い部を有し、
この覆い部の上面に屋根板の下面が対向するようにした請求項１又は２又は３記載の建物用囲い。
【請求項５】
前記隙間隠し部材は、側枠、垂木の木口から前後方向に向けて凹陥部に挿入して取り付けできると共に、その前後方向に対称形状である請求項１〜４いずれか１項に記載の建物用囲い。
【発明の詳細な説明】
【技術分野】
【０００１】
本発明は、建物と隣接して設置されるサンルーム、風除室、家事用室、物置用室などの屋外と区画され、人が出入りする空間を有する建物用囲いに関する。
【背景技術】
【０００２】
従来、建物用囲いとしてはサンルーム、風除室が一般的に広く知られ、それらは屋根と前面パネル体と側面パネル体を備え、屋外とは区画され、人が出入りする空間を有している。
このサンルーム、風除室の屋根は、テラスなどの建物と隣接して設置され、屋外と区画された空間を有しない簡易建物の屋根と同様に、屋根枠に屋根板を取り付けたものが一般的である。
例えば、特許文献１に開示されたように、前枠と後枠と左右の側枠と垂木で複数の枠部を有する屋根枠とし、この屋根枠の各枠部に屋根板を取り付けた屋根が知られている。
【先行技術文献】
【特許文献】
【０００３】
【特許文献１】特開２００８−２３１８７号公報
【発明の概要】
【発明が解決しようとする課題】
【０００４】
前述した従来の屋根は、前枠、後枠、側枠、垂木と屋根板の上面との間を上シール材で水密し、屋根板の下面との間を下シール材で水密している。
前記屋外と区画された空間を有する建物用囲いの屋根は、側枠、垂木に設けた側部下シール材を前枠に設けた前部下シール材よりも前方に張り出し、その前部下シール材の長手方向端面を側部下シール材の側面に接することで、側部下シール材の前部と前部下シール材の端部との間の水密性を向上し、屋根から空間内に雨水が浸入しないようにしている。
前記屋外と区画された空間を有しない簡易建物の屋根は、前記側枠、垂木に設けた側部下シール材の前端部と、前枠に取り付けた前部下シール材の長手端部を接している。
【０００５】
近年、建物用囲いの屋根と簡易建物の屋根を共通としてコスト低減することが考えられているが、前述の簡易建物の生産量は多いが、建物用囲いの生産量は簡易建物の生産量に比べて著しく少ないので、簡易建物の屋根を建物用囲いの屋根として用いることがコスト低減上好ましい。
しかし、前述のように簡易建物の屋根は、その側部下シール材の前端部と前部下シール材の端部が接しているので、その部分の水密性が十分でなく、建物用囲いの屋根として用いたときに、前述の部分から雨水が浸入することがある。
【０００６】
このことを解消するには、側部下シール材を前方にずらして設けることで、側部下シール材の前端部を前部下シール材よりも前方に張り出し、前部下シール材の長手方向端面を側部下シール材の前端寄りの側面に接することで、水密性を向上することが考えられるが、このようにすると、側部シール材の後端面が側枠、垂木の後端面よりも前方寄りにずれ、その側枠、垂木の後端部に側部下シール材が存在しないので、側枠、垂木の後端面寄り部分と屋根板の下面との間に隙間が生じ、側枠、垂木の前端からその隙間に向かって空気が入り込むことによって、側枠、垂木の前端と前枠との接合部から雨水が空間内に浸入することがある。
【０００７】
また、前述のことを解消するには側部下シール材を長くすれば良いが、このようにすると簡易建物の屋根と建物用囲いの屋根を共通化できない。
【０００８】
本発明は、側部下シール材の後端面が側枠、垂木の後端面よりも前方にずれていても、側枠、垂木の前端と前枠との接合部から雨水が空間内に浸入することがないようにした建物用囲いとすることである。
【課題を解決するための手段】
【０００９】
本発明は、建物と隣接して設置され、屋外と区画された空間を有した建物用囲いであって、
前枠と後枠と側枠と垂木で枠部を有した屋根枠と、その枠部に取り付けた屋根板で屋根とし、
前記側枠、垂木は屋根板支持用の凹陥部を有し、この凹陥部の上内面と屋根板の上面との間を側部上シール材で水密すると共に、前記凹陥部の下内面と屋根板の下面との間を側部下シール材で水密し、
前記側部上シール材は側枠、垂木の後端面まで連続し、前記側部下シール材は側枠、垂木の後端面よりも前方寄りまで連続して凹陥部の下内面の後端面寄り部分と屋根板の下面との間に隙間が有り、
前記側枠、垂木の凹陥部の後端面寄り部分に隙間隠し部材を取り付け、この隙間隠し部材で前記隙間を隠すようにしたことを特徴とする建物用囲いである。
【００１０】
本発明においては、前記前枠と屋根板の上面との間を前部上シール材で水密すると共に、前枠と屋根板の下面との間を前部下シール材で水密し、
前記側部下シール材は、前記前部下シール材よりも前方に張り出し、この側部下シール材の側面に前部下シール材の端面が接している建物用囲いとすることができる。
このようにすれば、側部下シール材の前部と前部下シール材の端部との間の水密性が向上し、屋根から空間内に雨水が浸入しないようにできる。
しかも、側部下シール材をテラスなどの簡易建物の屋根の側部下シール材を用いることができ、建物用囲いの屋根と簡易建物の屋根を共通化できる。
【００１１】
本発明においては、前記前枠は、排水用凹部を有すると共に、その排水用凹部の前部に前部上シール材、後部に前部下シール材を設け、
前記屋根板の前部は排水用凹部まで張り出し、その屋根板に沿って流れた雨水が排水用凹部に流れ込むようにし、
前記排水用凹部の底部長手方向端部を切り欠き、その切欠部から雨水が排水するようにした建物用囲いとすることができる。
このようにすれば、屋根板に沿って流れた雨水を前枠から排水できる。
しかも、前枠の切欠部から吹き込んだ雨水が側部下シール材と前部下シール材との水密部から空間内に浸入することを防止できる。
【００１２】
本発明においては、前記側枠、垂木の凹陥部の上内面、下内面の開口縁部分と屋根板の上面、下面との間を側部上シール材、側部下シール材でそれぞれ水密し、
前記隙間隠し部材は、前記凹陥部の底面寄り部分を閉塞する本体部と、この本体部の下方に設けられ前記凹陥部の下内面の開口縁部分を覆う覆い部を有し、
この覆い部の上面に屋根板の下面が対向するようにした建物用囲いとすることができる。
このようにすれば、屋外の圧力が空間内の圧力よりも高く圧力差が生じたときに、屋外の空気が側枠、垂木の凹陥部の底面寄り部分を通して空間内に流れることが抑制されるから、前述の側枠、垂木の前端と前枠との接合部から空間内に雨水が浸入することが低減する。
【００１３】
本発明においては、前記隙間隠し部材は、側枠、垂木の木口から前後方向に向けて凹陥部に挿入して取り付けできると共に、その前後方向に対称形状である建物用囲いとすることができる。
このようにすれば、左右の側枠の凹陥部、垂木の左右凹陥部に、隙間隠し部材を木口から挿入して取り付けできる。
【発明の効果】
【００１５】
本発明によれば、側枠、垂木の凹陥部の下内面の後端面寄り部分と屋根板の下面との間の隙間が隙間隠し部材で隠されるので、側部下シール材の後端面が側枠、垂木の他端面よりも前方寄りにずれていても、側枠、垂木の前端と前枠との接合部から雨水が室内に浸入することがないようにできる。
【図面の簡単な説明】
【００１６】
【図１】本発明の実施の形態を示す全体概略斜視図である。
【図２】図１のＡ−Ａ拡大詳細断面図である。
【図３】図１のＢ−Ｂ拡大詳細断面図である。
【図４】図１のＣ−Ｃ拡大詳細断面図である。
【図５】隙間隠し部材の斜視図である。
【発明を実施するための形態】
【００１７】
図１に示すように、屋根１と前パネル体２と側面パネル体３で建物４と隣接して設置した建物用囲い５としてある。
この建物用囲い５は屋外と区画された空間を有している。
前記屋根１は、屋根枠６の枠部６ａに屋根板７を取り付けてある。
前記屋根枠６は、前枠１０と後枠２０と左右の側枠３０と垂木４０を備えている。
【００１８】
図２に示すように、前記前枠１０は排水用凹部１０ａと、この排水用凹部１０ａの前方寄りに設けた上シール材支持部１０ｂと、前記排水用凹部１０ａの後方寄りに設けた下シール材支持部１０ｃを有している。
前記上シール材支持部１０ｂと下シール材支持部１０ｃは前後方向及び上下方向にそれぞれ離隔し、上シール材支持部１０ｂが下シール材支持部１０ｃよりも前方及び上方に位置している。
【００１９】
前記屋根板７の前部は上シール材支持部１０ｂと下シール材支持部１０ｃとの間を通って上シール材支持部１０ｂよりも前方まで張り出して設けられ、前記上シール材支持部１０ｂに支持された前部上シール材１１が屋根板７の上面７ａに接して水密し、下シール材支持部１０ｃに支持された前部下シール材１２が屋根板７の下面７ｂに接して水密している。
前記前部上・下シール材１１，１２はビードと呼ばれる乾式のシール材で、前部上シール材１１を取り付けた状態で屋根板７を取り付け、その後に前部下シール材１２を屋根板７の下面７ｂと下シール材支持部１０ｃとの間に押し込むようにして取り付ける。
【００２０】
前記屋根板７に沿って流れた雨水は前述の水密部から排水用凹部１０ａに流れ落ち、その排水用凹部１０ａの底部における長手方向端部を切り欠いた切欠部１０ｄから雨樋１３に排水される。
図２に示す前枠１０は、本体１４と屋根板取付部１５を有し、その本体１４に樋１３が設けてあると共に、屋根取付部１５が前述の排水用凹部１０ａ、上シール材支持部１０ｂ、下シール材支持部１０ｃを有している。
そして、本体１４に側枠３０、垂木４０の前部が接合されている。
【００２１】
前記後枠２０は、前方向（前枠１０に向かう方向）に開口した屋根板支持用の凹陥部２１を有し、この凹陥部２１は上内面２１ａと下内面２１ｂと底面２１ｃで前方向に開口したほぼコ字形状で、その上内面２１ａの開口縁部分に上シール材支持部２２、下内面２１ｂの開口縁部分に下シール材支持部２３を上下方向に相対向して有している。
前記屋根板７の後部は、前記凹陥部２１内に挿入され、前記上シール材支持部２２に支持された後部上シール材２４が屋根板７の上面７ａに接して水密し、前記下シール材支持部２３に支持された後部下シール材２５が屋根板７の下面７ｂに接して水密している。
前記後部上・下シール材２４，２５はビードと呼ばれる乾式シール材で、後部上シール材２４を取り付けた状態で屋根板７を取り付け、その後に後部下シール材２５を屋根板７の下面７ｂと下シール材支持部２３との間に押し込むようにして取り付ける。
【００２２】
前記側枠３０は図３に示すように、左右一側方（垂木４０に向かう方向）に開口した凹陥部３１を有し、この凹陥部３１は上内面３１ａと下内面３１ｂと底面３１ｃで左右一側方に開口したほぼコ字形状で、その上内面３１ａの開口縁部分に上シール材支持部３２、下内面３１ｂの開口縁部分に下シール材支持部３３を有している。
前記屋根板７の左右一側部は、前述の凹陥部３１内に挿入され、前記上シール材支持部３２に支持された側部上シール材３４が屋根板７の上面７ａに接して水密し、前記下シール材支持部３３に支持された側部下シール材３５が屋根板７の下面７ｂに接して水密している。
前記側部上・下シール材３４，３５はビードと呼ばれる乾式シール材で、側部上シール材３４を取り付けた状態で屋根板７を取り付け、その後に側部下シール材３５を屋根板７の下面７ｂと下シール材支持部３３との間に押し込むようにして取り付ける。
【００２３】
前記側部上シール材３４は図２に示すように、その前端面３４ａが前部下シール材１２よりも前方に張り出し、後端面３４ｂは側枠３０の後端面３０ａまで連続して前記後部上シール材２４と接して水密している。
前記側部下シール材３５は図２に示すように、その前端面３５ａが前部下シール材１２よりも前方に張り出し、この側部下シール材３５の側面３５ｂに前部下シール材１２の長手方向端面が接して水密性を向上しているので、その部分から雨水が空間に浸入することがない。
例えば、前述の前枠１０の排水用凹部１０ａの底部に形成した切欠部１０ｄから雨水が吹き込んだときに、その雨水が側部下シール材３５と前部下シール材１２との水密部を越えて空間に浸入することがない。
【００２４】
前記側部下シール材３５の後端面３５ｃは側枠３０の後端面３０ａよりも前方寄りに位置し、前記側枠３０の後端面寄り部分と屋根板７の下面７ｂとの間には側部下シール材３２が存在せずに、側枠３０の下シール材支持部３３（下内面３１ｂの開口縁部分）の後端面寄り部分と屋根板７の下面７ｂの後部寄りとの間には隙間がある。
図２に示す側部下シール材３５は、テラス等の簡易建物の屋根用の側部下シール材と兼用してあるので、その後部下シール材３５の前端面３５ａを前部下シール材１２よりも前方に張り出して取り付けてあるから、その側部下シール材３５の後端面３５ｃが側枠３０の後端面３０ａから離れ、前述のように隙間がある。
【００２５】
図２と図４に示すように、前記側枠３０の凹陥部３０ａの後端面寄り部分に隙間隠し部材５０を取り付け、この隙間隠し部材５０で前述の隙間を隠し、その下シール材支持部３３と屋根板７の下面７ｂとの間を塞ぐことができる。
このようであるから、側枠３０の下シール材支持部３３の後端面寄り部分に側部下シール材３５が無くとも、その下シール材支持部３３の後端面寄り部分と屋根板７の下面７ｂとの間を塞ぐことができる。
【００２６】
前記隙間隠し部材５０は図４、図５に示すように、上横片５１と縦片５２と下横片５３でほぼコ字形状で、その上横片５１の下面と下横片５３の上面に下向きの上部プレート５４、上向きの下部プレート５５を設け、前記縦片５２の背面に背部プレート５６を設けた本体部５７と、この本体部５７の下横片５３と連続して本体部５７から突出したほぼ下向きコ字形状の覆い部５８を有する。
前記上部プレート５４の下面と下部プレート５５の上面は離隔していると共に、下部プレート５５の上面と覆い部５８の上面がほぼ同一高さで、その下部プレート５５の上面、覆い部５８の上面と上部プレート５４の下面とで屋根板挿入部５９を形成している。
この屋根板挿入部５９の上下寸法は屋根板７の厚さよりも若干大きく、屋根板７を挿入し易くしてある。
前記覆い部５８の下面にプレート５８ａが設けてある。
【００２７】
そして、側枠３０の長手方向一側方に隙間隠し部材５０を前後方向に向けて設け、その側枠３０の木口から凹陥部３１内に、前後方向に挿入して凹陥部３１の後端面寄り部分に取り付ける。
これにより、その覆い部５８が下シール材支持部３３に嵌まり込んで下シール材支持部３３の後端面寄り部分（下内面３１ｂの開口縁部分の後端面寄り部分）を覆うと共に、背部プレート５６が凹陥部３１の底面３１ｃ、上下内面３１ａ，３１ｂの底面３１ｃ寄りに接すると共に、上横片５１、下横片５３が凹陥部３１の上内面３１ａ、下内面３１ｂに接すると共に、上部プレート５４で上横片５１と屋根板７の上面７ａとの間の隙間の一部分を閉塞し、下部プレート５５で下横片５３と屋根板７の下面７ｂとの間の隙間の一部分を閉塞する。
【００２８】
つまり、隙間隠し部材５０は、凹陥部３１の底面寄り部分を閉塞する本体部５７と、この本体部５７の下部寄りに設けられ前記下シール材支持部３３、つまり下内面３１ｂの開口縁部分の後端面寄り部分を覆う覆い部５８を有する。
好ましくは、本体部５７は、覆い部５８の上面と連続した屋根板挿入部５９を有している。
【００２９】
これによって、屋外の空気が側枠３０の前端から凹陥部３１を通って前述の隙間に向かって流れ込むことが抑制され、側枠３０の前端と前枠１０の接合部から雨水が屋外と区画された空間内に浸入することを低減できる。
【００３０】
要するに、凹陥部３１は、その開口縁部分に上シール材支持部３２、下シール材支持部３３を有し、屋根板７を開口縁部分でシール材によって支持しているので、その凹陥部３１の底面寄り部分は長手方向に連続した空洞である。
一方、屋外と区画された空間内の圧力よりも屋外の圧力が高くなって圧力差が発生すると、前述の凹陥部３１の底面寄り部分を通って空気が流入する。
このために、前枠１０と側枠３０の接合部付近に溜まっている雨水が前述の空気の流れによって空間内まで流れ込むことがある。
このことを低減するために、前述のように凹陥部３１の底面寄り部分を隙間隠し部材５０で閉塞して空気の流れを抑制することで、前述のようにして空間内に雨水が浸入することを低減している。
【００３１】
前記垂木４０は図３に示すように、左右両側方に開口した左右一対の凹陥部４１を有している。
この各凹陥部４１は前述の側枠３０の凹陥部３１と同一で、上内面４１ａ、下内面４１ｂ、底面４１ｃで左右両側方に開口したほぼコ字形状で、その上内面４１ａ、下内面４１ｂの開口縁部分に上シール材支持部４２、下シール材支持部４３を有している。
前記上シール材支持部４２に支持された側部上シール材４４が屋根板７の上面７ａに接して水密し、下シール材支持部４３に支持された側部下シール材４５が屋根板７の下面７ｂに接して水密している。
前記側部上・下シール材４４，４５は前述の側枠３０に設けた側部上・下シール材３４，３５と同一で、その側部上・下シール材３４，３５と同様にして取り付けられる。
【００３２】
前記側部上シール材４４は前述の側枠３０に取り付けた側部上シール材３４と同様に、前端面は前部下シール材１２よりも前方に突出し、後端面は垂木４０の後端面と面一である。
前記側部下シール材４５は前述の側枠３０に取り付けた側部下シール材３５と同様に、前端面は前部下シール材１２よりも前方に突出し、後端面は垂木４０の後端面よりも前方寄りに位置し、垂木４０の後端面寄り部分には側部下シール材４５が存在せずに、垂木４０の下シール材支持部４３の後端面寄り部分と屋根板７の下面７ｂとの間に隙間がある。
つまり、垂木４０の側部下シール材４５はテラス等の簡易建物の屋根用の側部下シール材と兼用としてある。
【００３３】
図４に示すように、前記垂木４０の凹陥部４１の後端面寄り部分に、前記隙間隠し部材５０を、垂木４０の木口から挿入して取り付け、前述の隙間を隠すと共に、凹陥部４１の底面寄り部分を閉塞する。
【００３４】
前記隙間隠し部材５０は図５に示すように、前記凹陥部３１，４１に挿入する方向を前後方向とした場合に、前部５０ａから挿入して取り付けできると共に、前後を反転して後部５０ｂから挿入して取り付けできるように上部プレート５４、下部プレート５５、背部プレート５６、プレート５８ａは前後方向中央に設けてある。
つまり、隙間隠し部材５０は前後対称形状である。
【００３５】
このようであるから、同一の隙間隠し部材５０を左右の側枠３０の凹陥部３１、垂木４０の左右の凹陥部４１に、木口から挿入して取り付けできる。
しかも、隙間隠し部材５０は樹脂によって成形され、本体部５７はほぼコ字形状で、上横片５１が下横片５３に接近、離隔するように上下方向に弾性変形可能であるから、凹陥部３１，４１の上下内面間の寸法に応じて本体部５７が上下方向に弾性変形し、上下内面間の寸法が異なる凹陥部３１，４１に取り付けることができる。
【００３６】
さらに、側枠３０の凹陥部３１、垂木４０の凹陥部４１に隙間隠し部材５０を、木口から挿入して取り付ける際に、隙間隠し部材５０は上下に弾性変形可能であるから、強い力で挿入して凹陥部３１，４１に圧入することで仮固定できる。
また、側枠３０、垂木４０を前枠１０、後枠２０に連結し、屋根板７を取付後に、側部下シール材３５，４５を、屋根板７の下面７ｂと下シール材支持部３３，４３との間に押し込んで取り付けするが、このとき、隙間隠し部材５０に合わせて取り付けることで、その側部下シール材３５，４５の取り付け位置を決めることができる。
前述のように側部下シール材３５，４５を取り付けた後は、隙間隠し部材５０は側部下シール材３５，４５で拘束されてずれることがない。
【００３７】
前述の側枠３０、垂木４０の凹陥部３１，４１の下内面３１ｂ，４１ｂに下シール材支持部３３，４３を設けたが、この下シール材支持部３３，４３は無くとも良い。
【符号の説明】
【００３８】
１…屋根、４…建物、５…建物用囲い、６…屋根枠、６ａ…枠部、７…屋根板、７ａ…上面、７ｂ…下面、１０…前枠、１０ａ…排水用凹部、１０ｄ…切欠部、１１…前部上シール材、１２…前部下シール材、２０…後枠、３０…側枠、３０ａ…後端面、３１…凹陥部、３１ａ…上内面、３１ｂ…下内面、３１ｃ…底面、３４…側部上シール材、３５…側部下シール材、３５ａ…前端面、３５ｂ…側面、３５ｃ…後端面、４０…垂木、４１…凹陥部、４１ａ…上内面、４１ｂ…下内面、４１ｃ…底面、４４…側部上シール材、４５…側部下シール材、５０…隙間隠し部材、５７…本体部、５８…覆い部。
【図１】
0005477856.tif 000002
【図２】
0005477856.tif 000003
【図３】
0005477856.tif 000004
【図４】
0005477856.tif 000005
【図５】
0005477856.tif 000006